(57)【要約】【課題】揺動を抑制し、支持体と据付側ブラケットとの連結部の破損を抑制する吊下具を提供する。【解決手段】本発明に係る吊下具は、被据付面に固定され下面に開口部を備える据付側ブラケットと、長手方向の一方の端に設けられた据付側端部が開口部に挿入され据付側ブラケットと連結される支持体と、支持体の他方の端に設けられた器具取付ブラケットと、支持体を支持する弾性部材と、を備える。支持体は、据付側端部の外周に突出して設けられたバネ保持部を有する。据付側ブラケットは、弾性部材を支持する底部内側面を有する。バネ保持部は、開口部及び底部内側面の上方に位置する。弾性部材は、バネ保持部と底部内側面との間に設置され、バネ保持部からの荷重により反力を生ずる。【選択図】図５
2018006288.tif 000002
【特許請求の範囲】
【請求項１】
被据付面に固定され開口部を備える据付側ブラケットと、
長手方向の一方の端に設けられた据付側端部が前記開口部に挿入され前記据付側ブラケットと連結される支持体と、
該支持体の他方の端に連結される器具取付ブラケットと、
前記据付側端部に取り付けられる弾性部材と、を備え、
前記支持体は、
前記据付側端部の外周に突出して設けられたバネ保持部を有し、
前記据付側ブラケットは、
前記開口部が設けられ前記弾性部材を支持する底部内側面を有し、
前記バネ保持部は、
前記開口部及び前記底部内側面に対し前記被据付面が位置する側に設けられ、
前記弾性部材は、
前記バネ保持部と前記底部内側面との間に設置され、前記バネ保持部からの荷重により反力を生ずる、吊下具。
【請求項２】
前記支持体は、
前記バネ保持部よりも前記器具取付ブラケットが配置される側に位置し外周面に突出するフランジ部を備え、
前記フランジ部は、
前記据付側ブラケットの、前記器具取付ブラケットが位置する側の面である、底部外側面に当接し、
前記バネ保持部と前記底部内側面の間の距離は、
前記弾性部材の自然長よりも短く設定される、請求項１に記載の吊下具。
【請求項３】
前記バネ保持部は、
固定される位置が前記支持体の長手方向に移動自在に構成されている、請求項１または請求項２に記載の吊下具。
【請求項４】
前記開口部の形状と前記据付側端部の前記支持体の長手方向に垂直な断面形状とは、
互いに相対回転を規制するように嵌合する、請求項１〜３の何れか１項に記載の吊下具。
【請求項５】
前記支持体は、
筒体である、請求項１〜４の何れか１項に記載の吊下具。
【請求項６】
前記バネ保持部は、
円板形状であり、中央部に開けられた穴に前記据付側端部が貫通し、
前記据付側端部は、
先端から所定の領域にネジ部を備え、該ネジ部にナットが固定され、
前記ナットは、
前記被据付面が位置する側から前記バネ保持部に当接する、請求項１〜５の何れか１項に記載の吊下具。
【請求項７】
前記弾性部材は、
コイルバネであり、前記支持体の外周面を包囲して配置される、請求項１〜６の何れか１項に記載の吊下具。
【請求項８】
前記弾性部材は、
台形バネであり、前記支持体の外周面を包囲して配置される、請求項１〜６の何れか１項に記載の吊下具。
【請求項９】
前記弾性部材は、
板バネであり、
該板バネは、
中央部に貫通穴が開口されている平板部と、
該平板部の対向する端部から前記器具取付ブラケットが配置されている側に伸びる斜面部と、を備え、
前記平板部は、
前記バネ保持部と当接し、
該斜面部の端部は、
前記底部内側面に当接し、
前記貫通穴には、
前記支持体が貫通する、請求項１〜６の何れか１項に記載の吊下具。
【発明の詳細な説明】
【技術分野】
【０００１】
本発明は吊下具に関し、特に被据付面から吊り下げる対象物を支持する支持体と取付部との連結構造に関する。
【背景技術】
【０００２】
従来、天井などの被取付部から照明器具を吊り下げて設置する場合は、吊下具を用いている。特許文献１に記載されている照明器具用吊下具によれば、先端に引掛部が設けられているパイプ形状の支持体を、天井面に固定された取付金具の引掛用開口に引っ掛けて設置されている。そして、取付金具と取付金具側の支持体の一部とを覆う様にしてカバーが取り付けられ、支持体とカバーとの間に緩衝材がとりつけられている。
【０００３】
また、特許文献２に記載の照明装置においては、天井面に固定された筒形状の取付金具にパイプ状の支持体が差し込まれ、取付金具と支持体との間に緩衝材が設けられている。この緩衝材が、支持体の振動を抑制している。
【先行技術文献】
【特許文献】
【０００４】
【特許文献１】実公昭５２−１６６１５号公報
【特許文献２】特開２０１４−２０３６８２号公報
【発明の概要】
【発明が解決しようとする課題】
【０００５】
特許文献１に記載の照明器具用吊具によれば、弾性の働くゴム等により形成された環形状のストッパーを緩衝材とし、ストッパーにパイプ形状の支持体が通されている。カバーにも支持体が通されており、カバーの下面にある凹部にストッパーが入るようになっている。ストッパーとパイプとの接触による摩擦力によりカバーを下から支える構造になっている。そして、カバーは、ストッパーにより天井面に接触した状態で固定される。このような構造になっており、緩衝材であるストッパーは、カバーとパイプとの間の接触を抑制するためのものであり、支持体であるパイプの揺動を抑制することができないという課題がある。
【０００６】
特許文献２に記載の照明装置によれば、天井に固定された筒形状の取付金具と支持体とは、緩衝材を介して固定されているが、支持体の側面よりネジにより固定されている。緩衝材により照明装置の揺動が緩和されても、支持体は揺動するため、ネジが緩み支持体が落下してしまうという課題がある。また、一方で支持体と取付金具との連結を強固にすると、支持体と取付金具との連結部に負荷がかかり、連結部の破損が生じるという課題がある。
【０００７】
本発明は、上記のような課題を解決するためになされたもので、被据付面から伝わった振動による支持体の揺動を抑制し、連結部の破損を抑制することができる吊下具を提供するものである。
【課題を解決するための手段】
【０００８】
本発明に係る吊下具は、被据付面に固定され開口部を備える据付側ブラケットと、長手方向の一方の端に設けられた据付側端部が前記開口部に挿入され前記据付側ブラケットと連結される支持体と、該支持体の他方の端に連結される器具取付ブラケットと、前記据付側端部に取り付けられる弾性部材と、を備え、前記支持体は、前記据付側端部の外周に突出して設けられたバネ保持部を有し、前記据付側ブラケットは、前記開口部が設けられ前記弾性部材を支持する底部内側面を有し、前記バネ保持部は、前記開口部及び前記底部内側面に対し前記被据付面が位置する側に設けられ、前記弾性部材は、前記バネ保持部と前記底部内側面との間に設置され、前記バネ保持部からの荷重により反力を生ずる。
【発明の効果】
【０００９】
本発明に係る吊下具によれば、支持体と据付側ブラケットとの間に弾性部材を配置し、被据付面から伝わる振動による揺動を抑制し、かつ所定の位置に復元することができる。ひいては、支持体と据付側ブラケットとの連結部の破損を抑制することができる。
【図面の簡単な説明】
【００１０】
【図１】本発明の実施の形態１に係る照明装置の照明器具側から見た斜視図である。
【図２】本発明の実施の形態１に係る照明装置の被据付面側から見た斜視図である。
【図３】図１の吊下具の斜視図である。
【図４】図１の吊下具の分解斜視図である。
【図５】図１の吊下具の断面図である。
【図６】本発明の実施の形態１に係る吊下具に適用できる変形例としてのバネ部の斜視図である。
【図７】本発明の実施の形態１に係る吊下具に適用できる変形例としてのバネ部の斜視図である。
【発明を実施するための形態】
【００１１】
以下、本発明の実施の形態を図面に基づいて説明する。なお、以下に説明する実施の形態によって本発明が限定されるものではない。また、各図において同一の符号を付したものは、同一のまたはこれに相当するものであり、これは明細書の全文において共通している。さらに、実施の形態において、「上」は、吊下具１に対し被据付面８０が位置する方向を意味し、「下」は被据付面８０に対し吊下具１が位置する側を意味する。言い換えると、「下」は、吊下具１の照明器具等が取り付けられる側を意味する。
【００１２】
実施の形態１．
以下、本発明の吊下具の実施の形態について、図面を参照しながら説明する。実施の形態１においては、一例として、天井などの被据付面に取り付けられ、非常用照明器具を支持する吊下具について説明する。
【００１３】
（照明装置１００）
図１は、本発明の実施の形態１に係る照明装置１００の照明器具９０側から見た斜視図である。図２は、本発明の実施の形態１に係る照明装置１００の被据付面８０側から見た斜視図である。照明装置１００は、照明器具９０と吊下具１とから構成されている。吊下具１の上側の端部は、例えば天井面などの被据付面８０に固定され、吊下具１の下側の端部は、照明器具９０が取り付けられている。このように構成されることにより、照明器具９０は、天井面から下方向に所定の距離だけ離れた位置に設置される。
【００１４】
図１に示されるように、吊下具１は、支持体１０、据付側ブラケット２０、及び器具取付ブラケット６０を備える。据付側ブラケット２０は、例えば天井面などの被据付面８０に固定されている。支持体１０は、長手方向の一方の端部が据付側ブラケット２０に連結されている。支持体１０は、据付側ブラケット２０から下方に伸び、支持体１０の下側の端部には、器具取付ブラケット６０が連結されている。器具取付ブラケット６０は、照明器具９０が固定される。
【００１５】
図３は、図１の吊下具１の斜視図である。図４は、図１の吊下具１の分解斜視図である。図５は、図１の吊下具１の断面図である。吊下具１の被据付面８０側の据付側ブラケット２０の内側には、バネ部３０、バネ保持部４０、ナット５０が配置されている。
【００１６】
据付側ブラケット２０は、中央部に支持体１０の据付側端部１３を挿入する開口部２５が設けられている。つまり、被据付面８０に固定された据付側ブラケット２０の下面に開口部２５が開けられており、支持体１０の据付側端部１３は、据付側ブラケット２０の下方から開口部２５に挿入される。支持体１０は、その外周に突出している据付側フランジ部１１が開口部２５の周囲の据付側ブラケット２０の底部外側面２３ｂに当接するまで挿入されている。実施の形態１においては、据付側フランジ部１１と開口部２５の周囲の底部外側面２３ｂとの間にワッシャ７２が挟み込まれている。なお、支持体１０の据付側フランジ部１１から図４の上側にある先端１４までの部分を据付側端部１３と呼ぶ。
【００１７】
挿入された据付側端部１３の外周を包囲するようにバネ部３０が配置され、バネ部３０の上部にはバネ保持部４０が配置されている。バネ保持部４０の上方には、ナット５０が支持体１０の据付側端部１３に固定されている。ナット５０は、据付側端部１３に２つ配置されており、据付側端部１３のネジ部１８に螺合し、例えばダブルナットにより固定されている。実施の形態１においては、ナット５０は２つ配置され固定されているが、数量はこれに限定されず、固定方法も他の手段を用いても良い。バネ部３０の下側の端面３１は、据付側ブラケット２０の底部内側面２３ａに支持されている。バネ部３０の上側の端面３２はバネ保持部４０を下側から支持している。バネ保持部４０は、上方に固定されているナット５０があるため、上方に動かないように規制されている。ナット５０は、据付側端部１３の先端側に設けられているネジ部１８を上下に移動自在であるため、バネ部３０の寸法に応じナット５０の位置を上下に移動させることができる。
【００１８】
支持体１０の先端１４は、筒体となっている支持体１０の内側にブッシュ７０が差し込まれている。ブッシュ７０は、先端１４を覆い、また筒体になっており、支持体１０の筒体と連通している。
【００１９】
次に、吊下具１の下側の端部の構成について説明する。支持体１０の下側の器具取付側端部１５は器具取付ブラケット６０に連結されている。器具取付ブラケット６０は中央部に支持体１０の器具取付側端部１５を挿入する開口部６５が設けられている。支持体１０の器具取付側端部１５は、器具取付ブラケット６０の上方から開口部２５に挿入される。支持体１０外周に突出している器具取付側フランジ部１６は、開口部６５の周囲の器具取付ブラケット外面６４に当接するまで挿入されている。なお、支持体１０の器具取付側フランジ部１６から図４の下側にある先端１７までの部分を器具取付側端部１５と呼ぶ。
【００２０】
器具取付ブラケット６０の内側に挿入された器具取付側端部１５には、ナット５０が配置されている。ナット５０は、器具取付側端部１５に２つ配置されており、器具取付側端部１５のネジ部１９に螺合し、例えばダブルナットにより固定されている。実施の形態１においては、ナット５０は２つ配置され固定されているが、数量はこれに限定されず、固定方法も他の手段を用いても良い。
【００２１】
器具取付ブラケット６０の内側面６３とナット５０とは当接しており、器具取付ブラケット６０は、ナット５０と器具取付側フランジ部１６とにより挟まれ、支持体１０に連結されている。器具取付ブラケット６０の内側にある支持体１０の器具取付側の先端１７には、ブッシュ７０が差し込まれている。ブッシュ７０は、支持体１０の先端１７を覆い、また筒体になっており支持体１０の筒体と連通している。
【００２２】
図１及び図２に示されるように、器具取付ブラケット６０の器具取付鍔部６１には照明器具９０が取り付けられる。照明器具９０は、例えば器具取付鍔部６１を通したビスなどにより器具取付鍔部６１に固定され、吊り下げられる。
【００２３】
（支持体１０）
支持体１０は、内側が空洞である筒形状をしており、被据付面８０に取り付けられる側の据付側端部１３には据付側ブラケット２０の受け部となる据付側フランジ部１１が設けられている。照明器具９０が取り付けられる側の器具取付側端部１５には、器具取付ブラケット６０の受け部となる器具取付側フランジ部１６が設けられている。また、据付側端部１３及び器具取付側端部１５それぞれにはナット５０を螺合するためのネジ部１８、１９が設けられている。据付側端部１３のネジ部１８は、据付側先端から所定の領域に設けられている。据付側端部１３のネジ部１８に固定されたナット５０の下部には、中央部に穴の開いた円板形状のバネ保持部４０が据付側端部１３をその穴に通されて配置される。さらに、バネ保持部４０の下には、バネ部３０が配置されている。バネ部３０は、例えばコイルバネであり、コイル形状の内部に据付側端部１３が通されている。つまり、バネ部３０は、バネ保持部４０と据付側ブラケット２０の底部内側面２３ａとの間に挟まれて位置する。支持体１０の据付側端部１３は、バネ部３０が通されている部分にはネジ部１８を設けておらず、バネ部３０の圧縮量を調整するのに必要な範囲にネジ部１８が設けられている。このバネ保持部４０は、後述する支持体１０を付勢させる為にバネ部３０を圧縮できるような位置に配置されている。
【００２４】
また、支持体１０の据付側端部１３は、据付側フランジ部１１から先端１４までの端部形状は、支持体１０の長手方向に垂直な断面が、Ｄ字形状をしている。このＤ字形状は、円形状の一部が直線形状に形成されている形状である。なお、器具取付側端部１５の器具取付側フランジ部１６から先端１７までの部分の支持体１０の長手方向に垂直な断面もこのＤ字形状にしても良い。支持体１０は、長手方向に垂直な断面をＤ字形状にすることにより、据付側ブラケット２０又は器具取付ブラケット６０との位置が決まり、支持体１０の長手方向の軸のまわりに水平に回転することがない。ただし、据付側端部１３の支持体１０の長手方向に垂直な断面形状及び開口部２５は、Ｄ字形状に限定されず、相対回転できないように嵌合していれば、他の形状であっても良い。支持体１０はパイプ状に形成されており、支持体１０の内部空間は、商用電源から電力の供給を受ける為に、被据付面８０から引き込まれる図示しない配線が挿通される。据付側ブラケット２０又は器具取付ブラケット６０が支持体１０に対して回転しないように構成されることにより、内部の配線にねじれが発生することがなく、配線に負担がかからないという効果が得られる。
【００２５】
（据付側ブラケット２０）
据付側ブラケット２０は、有底筒形状の底部の中央に開口部２５が設けられている。開口部２５はＤ字形状に形成されており、支持体１０の据付側端部１３が挿入され、回転しないように位置決めされる。開口部２５は、支持体１０の据付側端部１３の外形に対してクリアランスを設けた大きさに形成されている。また、据付側ブラケット２０は、有底筒形状の開放されている端部に外方向に向かって張り出した据付鍔部２１が形成されている。据付鍔部２１には、穴が複数箇所開けられており、例えばビスなどにより、被据付面８０に固定される。
【００２６】
（器具取付ブラケット６０）
器具取付ブラケット６０は、有底筒形状の底部の中央に開口部６５が設けられている。開口部６５はＤ字形状に形成され、支持体１０の器具取付側端部１５が挿入され、回転しないように位置決めされる。開口部６５は、支持体１０の器具取付側端部１５の外形に対してクリアランスを設けた大きさに形成されている。また、器具取付ブラケット６０は、有底筒形状の開放されている端部には外方向に向かって張り出した器具取付鍔部６１が形成されている。器具取付鍔部６１には、穴が複数箇所開けられており、例えばビスなどにより、照明器具９０が固定される。
【００２７】
なお、実施の形態１における据付側ブラケット２０と、器具取付ブラケット６０とは支持体１０が挿し込まれる開口部２５を同一形状とすることで、共通の部品を使用することも可能である。据付側ブラケット２０と器具取付ブラケット６０とを共通化することにより、部品の種類を削減することが可能となり、生産性を向上することができ、製造にかかるコストも低減できる。
【００２８】
（バネ部３０）
実施の形態１において、バネ部３０は、例えば円柱状に形成されたコイルバネであり、内側に支持体１０の据付側端部１３が挿し込まれる。バネ部３０は、本発明の「弾性部材」に相当するものである。バネ部３０は、コイルバネだけに限定されず、弾性を有する部材であれば良い。また、円筒形のコイルバネに限られず、台形バネであっても良い。バネ部３０の自然長は、バネ保持部４０から据付側ブラケット２０の底部内側面２３ａまでの距離よりも長い。
【００２９】
このバネ部３０の弾性力は、支持体１０及び取り付けられる照明器具９０の荷重負荷Ａ、及び支持体１０及び取り付けられる照明器具９０の振動による負荷Ｂを吸収できるように形成されている。つまり、バネ部３０は通常の荷重負荷Ａが加わった状態において、振動による負荷Ｂが加わっても弾性変形可能な弾性力を有している。例えば、バネ部３０は、荷重負荷Ａは８０Ｎで最大許容負荷は１４０Ｎに設定される。つまり、バネ部３０は、最大許容負荷を荷重負荷Ａの１．５〜２．０倍以上の大きさに形成しても良い。
【００３０】
なお、バネ部３０は、上記に説明したコイルバネだけでなく、他の形態の弾性部材であっても良い。バネ部３０は、本発明の「弾性部材」に相当する。
【００３１】
図６は、本発明の実施の形態１に係る吊下具１に適用できる変形例としてのバネ部３０ａの斜視図である。バネ部３０は、図６に示すように被据付面側が広がるような形状に形成されたバネ部３０ａであっても良い。このような形状にすることで、バネ部３０ａは、円柱形状に形成したコイルバネであるバネ部３０よりも自然長から圧縮できる長さを大きくすることができる。つまり、バネ部３０ａは、台形バネになっているため弾性変形しやすくなり、吊下具１に振動が発生した時にバネ部３０ａが振動を吸収し底部２３への負荷を抑制することができる。
【００３２】
また、バネ部３０ａは、コイル状に巻いてある巻線の径が徐々に大きくなる（小さくなる）ように巻いてある台形バネであるため、圧縮時には小さい径の巻き線が大きい径の巻き線の内側に入り込むように弾性変形をする。よって、バネ部３０ａは、円柱状に形成され押圧されたときには重なるように変形するバネ部３０よりも、狭いスペースに配置することができ、吊下具１の小型化をすることができる。
【００３３】
図７は、本発明の実施の形態１に係る吊下具１に適用できる変形例としてのバネ部３０ｂの斜視図である。吊下具１に適用する弾性部材は、図７に示すように板バネで形成されたバネ部３０ｂでも良い。バネ部３０ｂは、一枚の板金の中央部分の平板部３７を残し両端を斜め下方に折り曲げられている。平板部３７から斜め下方に伸びる斜面部３８は、先端が折り曲げられ、当接部３６を形成している。当接部３６は、据付側ブラケット２０の底部内側面２３ａに当接する。バネ部３０ｂの平板部３７は、中央部に形成された貫通穴３５に支持体１０が通され、上側からバネ保持部４０が当接される。つまり、バネ部３０ｂは、バネ保持部４０と据付側ブラケット２０の底部内側面２３ａとに挟まれている。バネ部３０ｂは、自然長よりも圧縮された状態で組み立てられ、平板部３７及び斜面部３８の形状、長さ、及び板厚により、弾性力を自由に設定することができる。バネ部３０ｂを板バネで形成することで、線材をコイル状に形成するより容易に制作することができる。
【００３４】
（バネ保持部４０）
バネ保持部４０は、中央部に穴が開いている円板形状である。バネ保持部４０は、上側にナット５０が固定されており、上側に移動できないように配置されている。バネ保持部４０の下側は、バネ部３０が配置されており、バネ部３０が圧縮され付勢された状態になっている。そのため、バネ保持部４０は、下側からバネ部３０によりナット５０に押し付けられた状態で保持される。なお、実施の形態１において、バネ保持部４０は、穴の開いた円板形状であり、ナット５０により上側に移動しないようにされているが、バネ部３０を付勢した状態で保持できれば他の方法により支持体１０に固定されていても良い。例えば、バネ保持部４０の穴の内径側にネジが切られており、ネジ部１８と螺合して支持体１０に固定されていても良い。
【００３５】
次に、図４を用いて支持体１０と据付側ブラケット２０との連結部に設置されたバネ部３０の機能を説明する。据付側ブラケット２０は、開口部２５が設けられた有底筒部の底部２３の底部外側面２３ｂに据付側フランジ部１１が当接し、底部内側面２３ａにバネ部３０が当接している。据付側ブラケット２０の底部２３は、据付側フランジ部１１とバネ部３０とにより挟持され支持体１０と連結している。このとき、バネ部３０は、下側の端面３１に据付側ブラケット２０の底部内側面２３ａが当接し、上側の端面３２にバネ保持部４０が当接している。このバネ保持部４０はナット５０が支持体１０のネジ部１８の分だけ締め込まれることでバネ部３０を圧縮している。
【００３６】
吊下具１は、被据付面８０に振動が発生したとき、据付側ブラケット２０から支持体１０に振動が伝わる。このとき、支持体１０は、バネ部３０を介して振動が伝達される。よって、振動はバネ部３０の弾性変形により吸収される。そして、支持体１０へ伝達される振動の力は、バネ部３０の弾性力に制限され、支持体１０の揺れが抑制される。また、支持体１０に対して振動が伝達し、支持体１０が揺動したり、据付側ブラケット２０に支持された初期位置からずれる、又は傾いたとしても、支持体１０は、バネ部３０の復元力により初期位置に戻される。
【００３７】
また、据付側ブラケット２０はバネ部３０を介して支持体１０を保持している。よって、振動による負荷をバネ部３０が吸収し、バネ部３０は、平面で構成される据付側ブラケット２０の底部内側面２３ａに接触しているため、支持体１０及び据付側ブラケット２０の破損を抑制できる。
【００３８】
また、一般的に吊下具１は、支持体１０を保持する中心軸と取り付けられる照明器具９０の重心とが異なる場合は、支持体１０の中心軸が照明器具９０の重心を通るように傾いてしまう。しかし、本実施の形態の吊下具１は、取り付けられる照明器具９０の重心が、吊下具１の中心軸上に無い場合であっても、バネ部３０の負荷（支持体１０および取り付けられる照明器具など）に対する復元力が引き上げる力となり、支持体１０の傾きを抑制することができる。
【００３９】
また、本実施の形態の吊下具１は非常用照明器具を保持する形状に関して説明を行なったが、吊下具１に取付けられるものは非常灯用照明器具に限らずスポットライト形状のもの、長尺形状のもの、誘導灯、または照明器具が取り付けられる為のレール部材であっても良い。さらには、照明器具だけに限られず、電力が供給され回転するシーリングファンやミラーボール等の天井から吊り下げられ、電力が供給されるものを吊り下げるのに使用することができる。
【００４０】
（実施の形態１の効果）
（１）実施の形態１の吊下具によれば、被据付面８０に固定され開口部２５を備える据付側ブラケット２０と、長手方向の一方の端に設けられた据付側端部１３が開口部２５に挿入され据付側ブラケット２０と連結される支持体１０と、支持体１０の他方の端に連結される器具取付ブラケット６０と、据付側端部１３に取り付けられるバネ部３０、３０ａ、３０ｂと、を備える。支持体１０は、据付側端部１３の外周に突出して設けられたバネ保持部４０を有する。据付側ブラケット２０は、開口部２５が設けられバネ部３０、３０ａ、３０ｂを支持する底部内側面２３ａを有する。バネ保持部４０は、開口部２５及び底部内側面２３ａに対し前記被据付面８０が位置する側に設けられる。バネ部３０、３０ａ、３０ｂは、バネ保持部４０と底部内側面２３ａとの間に設置され、バネ保持部４０からの荷重により反力を生ずる。なお、バネ部３０、３０ａ、３０ｂは本発明の「弾性部材」に相当する。
このように構成されることにより、吊下具１は、被据付面８０に振動が発生したとき、据付側ブラケット２０から支持体１０に振動が伝わる。このとき、支持体１０は、バネ部３０、３０ａ、３０ｂを介して振動が伝達される。よって、振動はバネ部３０、３０ａ、３０ｂの弾性変形により吸収される。そして、支持体１０へ伝達される振動の力は、バネ部３０、３０ａ、３０ｂの弾性力に制限され、支持体１０の揺れが抑制される。
【００４１】
（２）実施の形態１の吊下具１によれば、支持体１０は、バネ保持部４０よりも前記器具取付ブラケット６０側に位置し外周面に突出する据付側フランジ部１１を備える。据付側フランジ部１１は、据付側ブラケット２０の、前記器具取付ブラケットが位置する側の面である、底部外側面に当接し、バネ保持部４０と底部内側面２３ａの間の距離は、バネ部３０、３０ａ、３０ｂの自然長よりも短く設定される。
このように構成されることにより、バネ部３０、３０ａ、３０ｂは、圧縮され反力をバネ保持部４０と据付側ブラケット２０の底部内側面２３ａとへかけた状態で保持されている。被据付面８０が振動したときに、支持体１０へ伝達される振動の力は、バネ部３０、３０ａ、３０ｂの弾性力に制限され、支持体１０の揺れが抑制される。また、支持体１０に対して振動が伝達し、支持体１０が揺動したり、据付側ブラケット２０に支持された初期位置からずれたり、又は傾いたとしても、支持体１０は、バネ部３０の復元力により初期位置に戻される。
【００４２】
（３）実施の形態１の吊下具１によれば、バネ保持部４０は、固定される位置が支持体の長手方向に移動自在に構成されている。
このように構成されることにより、バネ部３０、３０ａ、３０ｂの圧縮する量を調整することができる。よって、バネ保持部４０と据付側ブラケット２０の底部内側面２３ａとにかかる弾性力を調整することができ、例えば、照明器具９０等の重量に応じ弾性力を変更したい場合や、バネ部３０、３０ａ、３０ｂの仕様に応じバネ部３０、３０ａ、３０ｂの圧縮量を変更する必要がある場合に適宜調整することができる。
【００４３】
（４）実施の形態１の吊下具１によれば、開口部２５の形状と据付側端部１３の支持体１０の長手方向に垂直な断面形状とは、互いに相対回転を規制するように嵌合する。
このように構成されることにより、据付側ブラケット２０、支持体１０、及び吊り下げられた照明器具９０等が相対的に回転することがないため、支持体１０の内部を通される配線がねじれることがなく、配線に負担をかけることがないため、耐久性が高く信頼性も確保できる吊下具１が得られる。
【００４４】
（５）実施の形態１の吊下具１によれば、支持体１０は、筒体である。
このように構成されることにより、吊下具１は、上記（１）〜（３）の効果を有しつつ、支持体１０の内部に照明器具９０等の電力を供給する配線を通すことができる。
【００４５】
（６）実施の形態１の吊下具１によれば、バネ保持部４０は、円板形状であり、中央部に開けられた穴に据付側端部１３が貫通し、据付側端部１３は、先端１４から所定の領域にネジ部１８を備え、ネジ部１８にナット５０が固定され、ナット５０は、被据付面８０が位置する側からバネ保持部４０に当接する。
このように構成されることにより、構造を複雑にすることなく上記（３）の効果を得ることができ、他の部品との共用化も可能になる。ひいては、コストを抑えつつ吊下具１を構成することが可能となる。
【００４６】
（７）実施の形態１の吊下具１によれば、バネ部３０は、コイルバネであり、支持体１０の外周面を包囲して配置される。又は、バネ部３０ａは、台形バネであり、支持体１０の外周面を包囲して配置される。又は、バネ部３０ｂは、板バネであり、板バネは、中央部に貫通穴３５が開口されている平板部３７と、平板部３７の対向する端部から器具取付ブラケット６０が配置されている側に伸びる斜面部３８と、を備える。平板部３７は、被据付面８０側に位置し、バネ保持部４０と当接し、斜面部３８の端部は、底部内側面２３ａに当接し、貫通穴３５には、支持体１０が貫通する。
このように構成されることにより、吊下具１は、上記（１）〜（３）の効果を簡易な構造で得ることができる。また、吊下具１に生じた振動を抑制する効果を高めることができる。さらに、バネ部３０ａを台形バネとすることにより、コイルバネであるバネ部３０よりも、狭いスペースに配置することができ、吊下具１の小型化をすることができる。また、バネ部３０ｂを板バネで形成することで、線材をコイル状に形成するより容易に制作することができる。
【符号の説明】
【００４７】
１  吊下具、１０  支持体、１１  据付側フランジ部、１３  据付側端部、１４  先端、１５  器具取付側端部、１６  器具取付側フランジ部、１７  先端、１８  ネジ部、１９  ネジ部、２０  据付側ブラケット、２１  据付鍔部、２２  端面、２３  底部、２３ａ  底部内側面、２３ｂ  底部外側面、２５  開口部、３０  バネ部、３０ａ  バネ部、３０ｂ  バネ部、３１  端面、３２  端面、３５  貫通穴、３６  当接部、３７  平板部、３８  斜面部、４０  バネ保持部、５０  ナット、６０  器具取付ブラケット、６１  器具取付鍔部、６３  内側面、６４  器具取付ブラケット外面、６５  開口部、７０  ブッシュ、７２  ワッシャ、８０  被据付面、９０  照明器具、１００  照明装置、Ａ  荷重負荷、Ｂ  負荷。
【図１】
2018006288.tif 000003
【図２】
2018006288.tif 000004
【図３】
2018006288.tif 000005
【図４】
2018006288.tif 000006
【図５】
2018006288.tif 000007
【図６】
2018006288.tif 000008
【図７】
2018006288.tif 000009